【手続補正書】
【提出日】平成30年9月10日(2018.9.10)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
アクセスポイントに送信されるべきデータを生成し、第１の送信機会（ＴＸ＿ＯＰ）のサイズと、変調およびコーディング方式とに基づいて、前記第１のＴＸ＿ＯＰの間に送信されることが可能な閾値のデータ量を決定し、前記データのサイズが前記閾値のデータ量を超えると決定するように構成されるデータ生成ロジックと、
前記データに基づいて、少なくとも第１のデータフラグメントと第２のデータフラグメントとを生成するように構成されるデータフラグメント化ロジックと、ここにおいて、前記第１のデータフラグメントのサイズは前記閾値のデータ量以下のサイズを有するように選択され、
前記第１のＴＸ＿ＯＰの間に、第１のデータパケットを前記アクセスポイントに送信するように構成されるワイヤレスインターフェースと、前記第１のデータパケットは前記第１のデータフラグメントを含み、
を備える装置。
【請求項２】
前記ワイヤレスインターフェースは、さらに、前記アクセスポイントから、第２のＴＸ＿ＯＰに対応するタイミング情報を含むトリガフレームを受信し、前記第２のＴＸ＿ＯＰの間に、前記第２のデータフラグメントを含む第２のデータパケットを前記アクセスポイントに送信するように構成される、請求項１に記載の装置。
【請求項３】
前記ワイヤレスインターフェースは、さらに、第２のＴＸ＿ＯＰの間に前記アクセスポイントへ、前記第２のデータフラグメントを含む第２のデータパケットを送信するように構成される、請求項１に記載の装置。
【請求項４】
前記データ生成ロジックは、さらに、第１の媒体アクセス制御（ＭＡＣ）層サービスデータユニットを生成することによって、前記アクセスポイントに送信されるべき前記データを生成するように構成され、
前記データフラグメント化ロジックは、さらに、前記第１のＭＡＣ層サービスデータユニットの第１のフラグメントを生成することによって前記第１のデータフラグメントを生成し、前記第１のＭＡＣ層サービスデータユニットの第２のフラグメントを生成することによって前記第２のデータフラグメントを生成するように構成される、請求項１に記載の装置。
【請求項５】
ワイヤレス通信のための方法であって、
第１のデバイスにおいて、アクセスポイントに送信されるべきデータを生成することと、
第１の送信機会（ＴＸ＿ＯＰ）のサイズと、変調およびコーディング方式とに基づいて、前記第１のＴＸ＿ＯＰの間に送信されることが可能な閾値のデータ量を決定することと、
前記データのサイズが前記閾値のデータ量を超えると決定することと、
前記データに基づいて、少なくとも第１のデータフラグメントと第２のデータフラグメントとを生成することと、ここにおいて、前記第１のデータフラグメントのサイズは前記閾値のデータ量以下のサイズを有するように選択され、
前記第１のＴＸ＿ＯＰの間に、第１のデータパケットを前記第１のデバイスから前記アクセスポイントに送信することと、前記第１のデータパケットは前記第１のデータフラグメントを含み、
を備える方法。
【請求項６】
前記第１のデータパケットは第１の物理層プロトコルデータユニットを含み、
前記第１の物理層プロトコルデータユニットのペイロードは、第１のＭＡＣ層プロトコルデータユニットを含み、
前記第１のＭＡＣ層プロトコルデータユニットは、前記第１のデータフラグメントを含む、
請求項５に記載の方法。
【請求項７】
第２のＴＸ＿ＯＰの間に、第２のデータパケットを前記アクセスポイントに送信することをさらに備え、前記第２のデータパケットは第２の物理層プロトコルデータユニットを含み、前記第２の物理層プロトコルデータユニットのペイロードは第２のＭＡＣ層プロトコルデータユニットを含み、前記第２のＭＡＣ層プロトコルデータユニットは前記第２のデータフラグメントを含む、請求項５に記載の方法。
【請求項８】
前記第２の物理層プロトコルデータユニットは、前記第２のＭＡＣ層プロトコルデータユニットと第３のＭＡＣ層プロトコルデータユニットと第４のＭＡＣ層プロトコルデータユニットとを含む集約されたＭＡＣ層プロトコルデータユニットを含み、
前記第２のデータフラグメントと前記第３のＭＡＣ層プロトコルデータユニットの第２のＭＡＣ層サービスデータユニットと前記第４のＭＡＣ層プロトコルデータユニットの第３のＭＡＣ層サービスデータユニットの第１のフラグメントとを、前記第２のＴＸ＿ＯＰのサイズ以下のサイズを有するように組み合わせることをさらに備える、
請求項７に記載の方法。
【請求項９】
前記データは、第２のＭＡＣ層サービスデータユニットを含み、
前記第１のデータパケットは、第１の物理層プロトコルデータユニットを含み、
前記第１の物理層プロトコルデータユニットのペイロードは、集約されたＭＡＣ層プロトコルデータユニットを含み、
前記集約されたＭＡＣ層プロトコルデータユニットは、第１のＭＡＣ層プロトコルデータユニットと第２のＭＡＣ層プロトコルデータユニットとを含み、
前記第１のＭＡＣ層プロトコルデータユニットは、前記第１のデータフラグメントを含み、
前記第２のＭＡＣ層プロトコルデータユニットは、前記第２のＭＡＣ層サービスデータユニットを含む、請求項５に記載の方法。
【手続補正２】
【補正対象書類名】明細書
【補正対象項目名】０１４０
【補正方法】変更
【補正の内容】
【０１４０】
[0152]開示される実装形態の前の説明は、開示される実装形態を当業者が製作または使用することを可能にするために与えられる。これらの実装形態に対する様々な修正が、当業者には容易に明らかになり、本明細書において定義される原理は、本開示の範囲から逸脱することなく、他の実装形態に適用され得る。したがって、本開示は、本明細書において示される実装形態に限定されることを意図されず、特許請求の範囲によって定義される原理および新規の特徴と合致する可能な限り最も広い範囲が与えられるべきである。
以下に本願の出願当初の特許請求の範囲に記載された発明を付記する。
［Ｃ１］
ワイヤレス通信のための装置であって、
アクセスポイントに送信されるべきデータを生成し、前記データのサイズが第１の送信機会（ＴＸ＿ＯＰ）のサイズを超えると決定するように構成されるデータ生成ロジックと、
前記データに基づいて、少なくとも第１のデータフラグメントと第２のデータフラグメントとを生成するように構成されるデータフラグメント化ロジックと、ここにおいて、前記第１のデータフラグメントのサイズは前記第１のＴＸ＿ＯＰの前記サイズに基づいて選択され、
前記第１のＴＸ＿ＯＰの間に、第１のデータパケットを前記アクセスポイントに送信するように構成されるワイヤレスインターフェースと、前記第１のデータパケットは前記第１のデータフラグメントを含み、
を備える装置。
［Ｃ２］
前記データ生成ロジックは、さらに、変調およびコーディング方式に基づいて、前記第１のＴＸ＿ＯＰの間に送信されることが可能な閾値のデータ量を決定するように構成され、
前記データフラグメント化ロジックは、さらに、前記閾値のデータ量以下のサイズを有するように前記第１のデータフラグメントを生成するように構成される、
Ｃ１に記載の装置。
［Ｃ３］
前記ワイヤレスインターフェースは、さらに、前記アクセスポイントから、第２のＴＸ＿ＯＰに対応するタイミング情報を含むトリガフレームを受信し、前記第２のＴＸ＿ＯＰの間に、前記第２のデータフラグメントを含む第２のデータパケットを前記アクセスポイントに送信するように構成される、Ｃ１に記載の装置。
［Ｃ４］
前記ワイヤレスインターフェースは、さらに、前記アクセスポイントから、第１の圧縮されていないブロック確認応答ビットマップまたは第１の準圧縮されたブロック確認応答ビットマップを含むブロック確認応答フレームを受信するように構成される、Ｃ１に記載の装置。
［Ｃ５］
前記ワイヤレスインターフェースは、さらに、第２のＴＸ＿ＯＰの間に前記アクセスポイントへ、前記第２のデータフラグメントを含む第２のデータパケットを送信するように構成される、Ｃ１に記載の装置。
［Ｃ６］
前記データ生成ロジックは、さらに、第１の媒体アクセス制御（ＭＡＣ）層サービスデータユニットを生成することによって、前記アクセスポイントに送信されるべき前記データを生成するように構成され、
前記データフラグメント化ロジックは、さらに、前記第１のＭＡＣ層サービスデータユニットの第１のフラグメントを生成することによって前記第１のデータフラグメントを生成し、前記第１のＭＡＣ層サービスデータユニットの第２のフラグメントを生成することによって前記第２のデータフラグメントを生成するように構成される、Ｃ１に記載の装置。
［Ｃ７］
ワイヤレス通信のための方法であって、
第１のデバイスにおいて、アクセスポイントに送信されるべき第１のデータを生成することと、
前記第１のデータのサイズが第１の送信機会（ＴＸ＿ＯＰ）のサイズを超えると決定することと、
前記第１のデータに基づいて、少なくとも第１のデータフラグメントと第２のデータフラグメントとを生成することと、ここにおいて、前記第１のデータフラグメントのサイズは前記第１のＴＸ＿ＯＰの前記サイズに基づいて選択され、
前記第１のＴＸ＿ＯＰの間に、第１のデータパケットを前記第１のデバイスから前記アクセスポイントに送信することと、前記第１のデータパケットは前記第１のデータフラグメントを含み、
を備える方法。
［Ｃ８］
前記第１のデータパケットは第１の物理層プロトコルデータユニットを含み、
前記第１の物理層プロトコルデータユニットのペイロードは、第１のＭＡＣ層プロトコルデータユニットを含み、
前記第１のＭＡＣ層プロトコルデータユニットは、前記第１のデータフラグメントを含む、
Ｃ７に記載の方法。
［Ｃ９］
第２のＴＸ＿ＯＰの間に、第２のデータパケットを前記アクセスポイントに送信することをさらに備え、前記第２のデータパケットは第２の物理層プロトコルデータユニットを含み、前記第２の物理層プロトコルデータユニットのペイロードは第２のＭＡＣ層プロトコルデータユニットを含み、前記第２のＭＡＣ層プロトコルデータユニットは前記第２のデータフラグメントを含む、Ｃ７に記載の方法。
［Ｃ１０］
前記第２の物理層プロトコルデータユニットは、前記第２のＭＡＣ層プロトコルデータユニットと第３のＭＡＣ層プロトコルデータユニットと第４のＭＡＣ層プロトコルデータユニットとを含む集約されたＭＡＣ層プロトコルデータユニットを含み、
前記第２のデータフラグメントと前記第３のＭＡＣ層プロトコルデータユニットの第２のＭＡＣ層サービスデータユニットと前記第４のＭＡＣ層プロトコルデータユニットの第３のＭＡＣ層サービスデータユニットの第１のフラグメントとを、前記第２のＴＸ＿ＯＰのサイズ以下のサイズを有するように組み合わせることをさらに備える、
Ｃ９に記載の方法。
［Ｃ１１］
前記第１のデータは、第２のＭＡＣ層サービスデータユニットを含み、
前記第１のデータパケットは、第１の物理層プロトコルデータユニットを含み、
前記第１の物理層プロトコルデータユニットのペイロードは、集約されたＭＡＣ層プロトコルデータユニットを含み、
前記集約されたＭＡＣ層プロトコルデータユニットは、第１のＭＡＣ層プロトコルデータユニットと第２のＭＡＣ層プロトコルデータユニットとを含み、
前記第１のＭＡＣ層プロトコルデータユニットは、前記第１のデータフラグメントを含み、
前記第２のＭＡＣ層プロトコルデータユニットは、前記第２のＭＡＣ層サービスデータユニットを含む、Ｃ７に記載の方法。
［Ｃ１２］
ワイヤレス通信のための装置であって、
第１の送信機会（ＴＸ＿ＯＰ）の間に、第１のデバイスからの第１のデータパケットと、第２のデバイスからの第２のデータパケットとを受信するように構成されるデータデフラグメントロジックと、前記第１のデータパケットは第１のデータフラグメントを含み、前記第２のデータパケットは第２のデータフラグメントを含み、
第１のブロック確認応答ビットマップと第２のブロック確認応答ビットマップとを含むブロック確認応答フレームを生成するように構成されるブロック確認応答生成ロジックと、ここにおいて、前記第１のブロック確認応答ビットマップは、前記第１のデバイスから受信される少なくとも前記第１のデータフラグメントを示し、前記第２のブロック確認応答ビットマップは、前記第２のデバイスから受信される少なくとも前記第２のデータフラグメントを示し、
前記ブロック確認応答フレームを、前記第１のデバイスおよび前記第２のデバイスに送信するように構成されるワイヤレスインターフェースと、
を備える装置。
［Ｃ１３］
前記ブロック確認応答生成ロジックは、さらに、米国電気電子学会（ＩＥＥＥ）８０２．１１規格に従って前記ブロック確認応答フレームを生成するように構成され、
前記ワイヤレスインターフェースは、さらに、前記ＩＥＥＥ８０２．１１規格に従って動作するワイヤレスネットワークを介して前記ブロック確認応答フレームを送信するように構成される、Ｃ１２に記載の装置。
［Ｃ１４］
前記データデフラグメントロジックは、さらに、前記第１のデータパケットに含まれるフラグメント化情報を特定するように構成され、前記フラグメント化情報は、シーケンス識別子番号と、フラグメント番号と、追加フラグメントインジケータとを含む、Ｃ１２に記載の装置。
［Ｃ１５］
前記データデフラグメントロジックは、さらに、
前記シーケンス識別子番号に対応する特定のデータフラグメントが、前記第１のデバイスから受信されているかどうかを決定し、
前記特定のデータフラグメントが受信されていないと決定したことに応答して、前記第１のブロック確認応答ビットマップの特定のビットを第１の値に設定するように構成される、Ｃ１４に記載の装置。
［Ｃ１６］
前記データデフラグメントロジックは、さらに、前記シーケンス識別子番号に対応する前記特定のデータフラグメントが受信されていると決定したことに応答して、前記特定のビットを第２の値に設定するように構成される、Ｃ１５に記載の装置。
［Ｃ１７］
ワイヤレス通信のための方法であって、
第１のデバイスおよび第２のデバイスによって使用される第１の送信機会（ＴＸ＿ＯＰ）の間に、アクセスポイントにおいて、前記第１のデバイスからの第１のデータパケットと前記第２のデバイスからの第２のデータパケットとを受信することと、前記第１のデータパケットは第１のデータフラグメントを含み、前記第２のデータパケットは第２のデータフラグメントを含み、
前記アクセスポイントにおいて、少なくとも第１のブロック確認応答ビットマップと第２のブロック確認応答ビットマップとを含むブロック確認応答フレームを生成することと、ここにおいて、前記第１のブロック確認応答ビットマップは、前記第１のデバイスから受信される少なくとも前記第１のデータフラグメントを示し、前記第２のブロック確認応答ビットマップは、前記第２のデバイスから受信される少なくとも前記第２のデータフラグメントを示し、
前記第１のデバイスに前記ブロック確認応答フレームを送信することと、
を備える、方法。
［Ｃ１８］
前記第１のブロック確認応答ビットマップは、第１の圧縮されていないブロック確認応答ビットマップを備え、
前記第２のブロック確認応答ビットマップは、第２の圧縮されていないブロック確認応答ビットマップを備える、Ｃ１７に記載の方法。
［Ｃ１９］
前記ブロック確認応答フレームは、フレーム制御フィールドと、時間長／識別情報フィールドと、受信機アドレスフィールドと、送信機アドレスフィールドと、ブロック確認応答制御フィールドと、ブロック確認応答情報フィールドと、フレーム検査シーケンスフィールドとを含み、
前記ブロック確認応答制御フィールドは、確認応答ポリシービットと、マルチトラフィック識別子ビットと、ビットマップ圧縮ビットと、予備ビットのセットと、マルチトラフィック識別子情報ビットのセットとを含む、Ｃ１８に記載の方法。
［Ｃ２０］
前記ブロック確認応答情報フィールドは、局毎情報ビットの複数のセットと、ブロック確認応答開始シーケンス制御ビットの複数のセットと、前記第１の圧縮されていないブロック確認応答ビットマップおよび前記第２の圧縮されていないブロック確認応答ビットマップを含む複数の圧縮されていないブロック確認応答ビットマップと、を含む
Ｃ１９に記載の方法。
［Ｃ２１］
前記第１のブロック確認応答ビットマップは、第１の準圧縮されたブロック確認応答ビットマップを備え、
前記第２のブロック確認応答ビットマップは、第２の準圧縮されたブロック確認応答ビットマップを備える、Ｃ１７に記載の方法。
［Ｃ２２］
前記第１の準圧縮されたブロック確認応答ビットマップは、前記第１のデータフラグメントが前記アクセスポイントによって受信されたことを示し、
前記第１の準圧縮されたブロック確認応答ビットマップは、第１のデータユニットに対応するシーケンス番号に対して割り当てられた、前記第１の準圧縮されたブロック確認応答ビットマップのビットのセットにおいて、前記第１のデータフラグメントのフラグメント番号を示す、Ｃ２１に記載の方法。
［Ｃ２３］
前記ブロック確認応答フレームは、ブロック確認応答制御フィールドとブロック確認応答情報フィールドとを含み、
前記ブロック確認応答制御フィールドは、ビットマップ圧縮ビットと予備ビットのセットとを含み、
前記ブロック確認応答情報フィールドは、ブロック確認応答開始シーケンス制御ビットのセットと前記第１の準圧縮されたブロック確認応答ビットマップとを含む、Ｃ２１に記載の方法。
［Ｃ２４］
前記ビットマップ圧縮ビットは第１の値を有し、
予備ビットの前記セットの１つまたは複数のビットは、前記ブロック確認応答フレームが前記第１の準圧縮されたブロック確認応答ビットマップを含むことを示し、
前記第１の準圧縮されたブロック確認応答ビットマップは、１つまたは複数のデータフラグメント識別子を示す複数のビットを含み、
前記１つまたは複数のデータフラグメント識別子の各々は、特定のブロック確認応答シーケンスに対応する複数のデータユニットのうちの１つのデータユニットの１つのデータフラグメントに対応する、Ｃ２３に記載の方法。
［Ｃ２５］
前記ビットマップ圧縮ビットは第２の値を有し、
予備ビットの前記セットの１つまたは複数のビットは、前記ブロック確認応答フレームが前記第１の準圧縮されたブロック確認応答ビットマップを含むことを示し、
前記第１の準圧縮されたブロック確認応答ビットマップは、圧縮されたブロック確認応答ビットマップとフラグメント識別情報サブフィールドのセットとを含む、Ｃ２３に記載の方法。
［Ｃ２６］
前記圧縮されたブロック確認応答ビットマップは、前記第１のデバイスから前記アクセスポイントによって受信される１つまたは複数のフラグメント化されていないデータユニットを示す複数のビットを含み、
フラグメント識別情報サブフィールドの前記セットは、シーケンス識別子サブフィールドとデータフラグメント識別子とを含む、Ｃ２５に記載の方法。
［Ｃ２７］
前記第２の準圧縮されたブロック確認応答ビットマップは、前記第２のデバイスから受信された１つまたは複数のデータフラグメントを示し、
前記ブロック確認応答フレームを、前記アクセスポイントから前記第１のデバイスおよび前記第２のデバイスに送信することをさらに備える、
Ｃ２１に記載の方法。
［Ｃ２８］
前記ブロック確認応答フレームは、ブロック確認応答制御フィールドとブロック確認応答情報フィールドとを含み、
前記ブロック確認応答制御フィールドは、ビットマップ圧縮ビットと予備ビットのセットとを含み、
前記ブロック確認応答情報フィールドは、局毎情報ビットの第１のセットと、ブロック確認応答開始シーケンス制御ビットの第１のセットと、前記第１の準圧縮されたブロック確認応答ビットマップと、局毎情報ビットの第２のセットと、ブロック確認応答開始シーケンス制御ビットの第２のセットと、前記第２の準圧縮されたブロック確認応答ビットマップとを含む、
Ｃ２７に記載の方法。
［Ｃ２９］
前記ビットマップ圧縮ビットは第１の値を有し、
予備ビットの前記セットの１つまたは複数のビットは、前記ブロック確認応答フレームが少なくとも１つの準圧縮されたブロック確認応答ビットマップを含むことを示し、
局毎情報ビットの前記第１のセットの１つまたは複数の予備ビットは、前記第１のデバイスに対応する関連付け識別子と、データユニットが前記第１のデバイスによって分割されるデータフラグメントの数とを示し、
前記第１の準圧縮されたブロック確認応答ビットマップは、データフラグメントのデータフラグメント識別子を示す複数のビットを含み、
前記データフラグメントは、特定のブロック確認応答シーケンスに対応する複数のデータユニットのうちの１つに対応する、
Ｃ２８に記載の方法。
［Ｃ３０］
前記ビットマップ圧縮ビットは第２の値を有し、
予備ビットの前記セットの１つまたは複数のビットは、前記ブロック確認応答フレームが少なくとも１つの準圧縮されたブロック確認応答ビットマップを含むことを示し、
局毎情報ビットの前記第１のセットの１つまたは複数の予備ビットは、前記第１のデバイスに対応する関連付け識別子を示し、
前記第１の準圧縮されたブロック確認応答ビットマップは、圧縮されたブロック確認応答ビットマップとフラグメント識別情報サブフィールドのセットとを含み、
フラグメント識別情報サブフィールドの前記セットは、第１のシーケンス識別子サブフィールドとデータフラグメント識別子とを含む、
Ｃ２８に記載の方法。